(57)【要約】【課題】美的効果や防犯効果が得られると共に、建具の結露を防止することができる照明付き建具を提供すること。【解決手段】窓１は、ペアガラス２と、枠部材３と、２つのＬＥＤユニット９０を有する照明装置９とを備えている。ペアガラス２は、スペーサ２３と、スペーサ２３を介して互いに対向するように設置された１対のガラス板２１、２２とによって構成されている。ペアガラス２は、その外周部において枠部材３に支持され、枠部材３は、住宅の躯体に形成された開口部に設置されている。各ＬＥＤユニット９０は、ペアガラス２の内部の空間２４に位置し、一方のＬＥＤユニット９０は、スペーサ２３の上フレーム２３１に設置され、他方のＬＥＤユニット９０は、スペーサ２３の下フレーム２３２に設置されている。【選択図】図１
2007182704.tif 000002
【特許請求の範囲】
【請求項１】
建築物の開口部に設置され、間隔を隔てて対向配置された複数のガラス板と、
少なくとも１つのＬＥＤ光源を有する照明装置とを備える照明付き建具であって、
前記ＬＥＤ光源は、前記隣り合う２つのガラス板の間の空間に位置していることを特徴とする照明付き建具。
【請求項２】
前記照明装置は、前記ＬＥＤ光源を複数有し、該複数のＬＥＤ光源が連設されている請求項１に記載の照明付き建具。
【請求項３】
前記複数のガラス板のうちの少なくとも１対のガラス板は、スペーサを介して互いに対向するように設置されており、前記１対のガラス板と前記スペーサとで、内部に閉空間が形成されたペアガラスを構成している請求項１または２に記載の照明付き建具。
【請求項４】
前記ＬＥＤ光源は、前記ペアガラスの閉空間に位置している請求項３に記載の照明付き建具。
【請求項５】
前記ペアガラスの隣に、該ペアガラスに対向するように配置されたガラス板を有し、
前記ＬＥＤ光源は、前記ペアガラスと、前記ペアガラスの隣のガラス板との間の空間に位置している請求項３に記載の照明付き建具。
【請求項６】
前記ＬＥＤ光源は、前記スペーサに設置されている請求項３または４に記載の照明付き建具。
【請求項７】
前記ＬＥＤ光源で発生した熱が、前記スペーサに蓄熱され、該スペーサから放熱されるよう構成されている請求項６に記載の照明付き建具。
【請求項８】
前記ＬＥＤ光源は、前記スペーサのうち、少なくとも鉛直方向下方の部分に設置されている請求項６または７に記載の照明付き建具。
【請求項９】
前記ガラス板を支持する枠部材を有し、
前記ＬＥＤ光源は、前記枠部材に設置されている請求項１、２、５のいずれかに記載の照明付き建具。
【請求項１０】
前記ＬＥＤ光源で発生した熱が、前記枠部材に蓄熱され、該枠部材から放熱されるよう構成されている請求項９に記載の照明付き建具。
【請求項１１】
前記ＬＥＤ光源は、前記枠部材のうち、少なくとも鉛直方向下方の部分に設置されている請求項９または１０に記載の照明付き建具。
【請求項１２】
前記ＬＥＤ光源は、前記ガラス板の表面に設置されている請求項１ないし５のいずれかに記載の照明付き建具。
【請求項１３】
前記ＬＥＤ光源で発生した熱が、前記ガラス板に蓄熱され、該ガラス板から放熱されるよう構成されている請求項１２に記載の照明付き建具。
【請求項１４】
前記照明装置は、前記ＬＥＤ光源を複数有し、
前記ＬＥＤ光源は、前記２つのガラス板に分散して設置されている請求項１２または１３に記載の照明付き建具。
【請求項１５】
前記ＬＥＤ光源は、吊り下げられている請求項１ないし５のいずれかに記載の照明付き建具。
【発明の詳細な説明】
【技術分野】
【０００１】
本発明は、間隔を隔てて対向配置された複数のガラス板を有する照明付き建具に関する。
【背景技術】
【０００２】
住宅（建築物）には、例えば、窓等、１枚または複数枚のガラス板を用いた建具が設置されている（例えば、特許文献１参照）。
しかしながら、前記従来の窓は、その窓としての機能しか有していなかった。
【０００３】
【特許文献１】特開２００５−２５９０号公報
【発明の開示】
【発明が解決しようとする課題】
【０００４】
本発明の目的は、美的効果や防犯効果が得られると共に、建具の結露を防止することができる照明付き建具を提供することにある。
【課題を解決するための手段】
【０００５】
このような目的は、下記（１）〜（１５）の本発明により達成される。
（１）  建築物の開口部に設置され、間隔を隔てて対向配置された複数のガラス板と、
少なくとも１つのＬＥＤ光源を有する照明装置とを備える照明付き建具であって、
前記ＬＥＤ光源は、前記隣り合う２つのガラス板の間の空間に位置していることを特徴とする照明付き建具。
【０００６】
（２）  前記照明装置は、前記ＬＥＤ光源を複数有し、該複数のＬＥＤ光源が連設されている上記（１）に記載の照明付き建具。
【０００７】
（３）  前記複数のガラス板のうちの少なくとも１対のガラス板は、スペーサを介して互いに対向するように設置されており、前記１対のガラス板と前記スペーサとで、内部に閉空間が形成されたペアガラスを構成している上記（１）または（２）に記載の照明付き建具。
【０００８】
（４）  前記ＬＥＤ光源は、前記ペアガラスの閉空間に位置している上記（３）に記載の照明付き建具。
【０００９】
（５）  前記ペアガラスの隣に、該ペアガラスに対向するように配置されたガラス板を有し、
前記ＬＥＤ光源は、前記ペアガラスと、前記ペアガラスの隣のガラス板との間の空間に位置している上記（３）に記載の照明付き建具。
【００１０】
（６）  前記ＬＥＤ光源は、前記スペーサに設置されている上記（３）または（４）に記載の照明付き建具。
【００１１】
（７）  前記ＬＥＤ光源で発生した熱が、前記スペーサに蓄熱され、該スペーサから放熱されるよう構成されている上記（６）に記載の照明付き建具。
【００１２】
（８）  前記ＬＥＤ光源は、前記スペーサのうち、少なくとも鉛直方向下方の部分に設置されている上記（６）または（７）に記載の照明付き建具。
【００１３】
（９）  前記ガラス板を支持する枠部材を有し、
前記ＬＥＤ光源は、前記枠部材に設置されている上記（１）、（２）、（５）のいずれかに記載の照明付き建具。
【００１４】
（１０）  前記ＬＥＤ光源で発生した熱が、前記枠部材に蓄熱され、該枠部材から放熱されるよう構成されている上記（９）に記載の照明付き建具。
【００１５】
（１１）  前記ＬＥＤ光源は、前記枠部材のうち、少なくとも鉛直方向下方の部分に設置されている上記（９）または（１０）に記載の照明付き建具。
【００１６】
（１２）  前記ＬＥＤ光源は、前記ガラス板の表面に設置されている上記（１）ないし（５）のいずれかに記載の照明付き建具。
【００１７】
（１３）  前記ＬＥＤ光源で発生した熱が、前記ガラス板に蓄熱され、該ガラス板から放熱されるよう構成されている上記（１２）に記載の照明付き建具。
【００１８】
（１４）  前記照明装置は、前記ＬＥＤ光源を複数有し、
前記ＬＥＤ光源は、前記２つのガラス板に分散して設置されている上記（１２）または（１３）に記載の照明付き建具。
【００１９】
（１５）  前記ＬＥＤ光源は、吊り下げられている上記（１）ないし（５）のいずれかに記載の照明付き建具。
【発明の効果】
【００２０】
本発明によれば、ＬＥＤ光源から発せられた光がガラス板を透過して建築物の内部や外部が照明される。この照明、特に、建築物の内部の照明により、美的効果や癒し効果（リラクゼーション効果）が得られる。また、建築物の外部の照明により、防犯効果が得られる。
【００２１】
また、ＬＥＤ光源から発せられた光がガラス板に照射されることにより、ガラス板の結露を防止することができる。
【００２２】
また、照明装置の光源としてＬＥＤ光源を用いており、ＬＥＤ光源は、その寸法を容易に小さくすることができるので、隣り合う２つのガラス板の間の空間、特に、ペアガラスの閉空間に、そのＬＥＤ光源を容易かつ確実に配置することができる。
【００２３】
また、ＬＥＤ光源がペアガラスのスペーサに設置され、ＬＥＤ光源で発生した熱が、そのスペーサに蓄熱され、そのスペーサから放熱されるよう構成されている場合は、そのＬＥＤ光源で発生した熱により、スペーサの結露を防止することができる。さらに、ＬＥＤ光源で発生した熱を効率良く放熱することができ、これにより、ＬＥＤ光源の温度上昇による発光効率の減少を抑制（または防止）することができ、これによって、効率良く照明することができる。
【００２４】
また、ＬＥＤ光源がガラス板を支持する枠部材に設置され、ＬＥＤ光源で発生した熱が、その枠部材に蓄熱され、その枠部材から放熱されるよう構成されている場合は、そのＬＥＤ光源で発生した熱により、枠部材の結露を防止することができる。さらに、ＬＥＤ光源で発生した熱を効率良く放熱することができ、これにより、ＬＥＤ光源の温度上昇による発光効率の減少を抑制（または防止）することができ、これによって、効率良く照明することができる。
【００２５】
また、ＬＥＤ光源がガラス板の表面に設置され、ＬＥＤ光源で発生した熱が、そのガラス板に蓄熱され、そのガラス板から放熱されるよう構成されている場合は、そのＬＥＤ光源で発生した熱により、ガラス板の結露を防止することができる。さらに、ＬＥＤ光源で発生した熱を効率良く放熱することができ、これにより、ＬＥＤ光源の温度上昇による発光効率の減少を抑制（または防止）することができ、これによって、効率良く照明することができる。
【発明を実施するための最良の形態】
【００２６】
以下、本発明の照明付き建具を添付図面に示す好適実施形態に基づいて詳細に説明する。
【００２７】
なお、各実施形態では、代表的に、本発明の照明付き建具を窓（照明付き窓）に適用した場合について説明する。
【００２８】
＜第１実施形態＞
図１は、本発明の照明付き建具を窓に適用した場合の第１実施形態を示す断面斜視図である。また、図２は、本発明における照明装置のＬＥＤユニットの構成例を示す斜視図である。また、図３は、本発明における照明装置のＬＥＤ光源の構成例を示す図であり、図３（Ａ）は、平面図、図３（Ｂ）は、正面図、図３（Ｃ）は、断面図である。また、図４は、本発明におけるペアガラスのスペーサの他の構成例を示す断面図である。
【００２９】
なお、説明の都合上、図１および図４において、上側を「上」、下側を「下」、左側を「左」、右側を「右」として説明する。また、図１および図４中の上下方向が鉛直方向、左右方向が水平方向である。また、図４において、枠部材は、図示されていない。
【００３０】
図１に示す窓（照明付き建具）１は、そのペアガラス（ガラス板）が、枠部材を介して、建築物としての図示しない住宅（家屋）の開口部に、固定的に設置されている開閉しない形態（タイプ）のものである。
【００３１】
図１に示すように、窓１は、ペアガラス２と、枠部材３と、照明装置９とを備えている。
【００３２】
ペアガラス２は、図示例では、略四角形の板状をなしており、略四角形の枠状のスペーサ２３と、このスペーサ２３を介して（間隔を隔てて）互いに対向するように設置された１対（２つ）の略四角形のガラス板２１、２２とによって構成されている。スペーサ２３は、ガラス板２１とガラス板２１、２２との間に位置し、ガラス板２１、２２の外周部に固着（固定）されている。これら１対のガラス板２１、２２と、スペーサ２３とで、ペアガラス２の内部に閉じた空間（閉空間）２４が形成（画成）される。すなわち、ペアガラス２の内部は、スペーサ２３によって密閉されている。
【００３３】
ペアガラス２の内部の空間２４の幅、すなわち、ガラス板２１とガラス板２２との間の距離（間隙長）ｄは、特に限定されないが、例えば、１２〜２０ｍｍ程度とするのが好ましい。
【００３４】
各ガラス板２１、２２としては、それぞれ、例えば、透明ガラス、半透明ガラス、曇ガラスのような不透明に近いガラス等、種々のものを用いることができる。
【００３５】
また、スペーサ２３の構成材料としては、特に限定されないが、例えば、アルミニウムやアルミニウム系合金等が挙げられる。
【００３６】
なお、スペーサ２３が、ガラス板２１、２２に対して着脱自在になっていてもよい。これにより、ペアガラス２のメンテナンスを容易に行うことができる。
【００３７】
また、スペーサ２３としては、図示の形状（構造）のものには限定されず、種々の形状のもの、例えば、図４に示す形状のものを用いることもできる。図４に示すスペーサ２３を用いた場合は、後述する各ＬＥＤユニット９０は、それぞれ、そのスペーサ２３内に位置し、隠れてしまう。
【００３８】
住宅の躯体には、その住宅の内部（所定の居住空間）と外部とを連通する図示しない開口部が形成されている。ペアガラス２は、その外周部において枠部材３に支持（保持）され、枠部材３は、前記開口部に設置（固定）されている。すなわち、ペアガラス２は、枠部材３を介して、開口部に設置されており、これにより、その開口部が塞がれている。
【００３９】
枠部材３の構成材料としては、特に限定されないが、例えば、アルミニウムやアルミニウム系合金等が挙げられる。
【００４０】
図２に示すように、照明装置９は、複数の図３に示すＬＥＤ（発光ダイオード）光源９１を連設してなる２つのＬＥＤユニット９０を有している。このＬＥＤユニット９０としては、図２（Ａ）に示すように、パッケージ化されたもの、図２（Ｂ）に示すように、その表面が絶縁された通電用の導線（ケーブル）等で繋がっているもの等、種々の形態のものを用いることができる。なお、本実施形態および後述する各実施形態では、その一部を除き、代表的に、図２（Ａ）に示すパッケージ化されたＬＥＤユニット９０を用いた場合について説明する。
【００４１】
図３に示すように、ＬＥＤ光源９１は、矩形板状の基盤９２と、基盤９２の一方の面（図３（Ｃ）において上側の面）上に設けられた反射板９３と、ＬＥＤ素子９４と、蛍光体９５と、レンズ９６とを備えている。
【００４２】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００４３】
また、反射板９３は、枠状をなし、基盤９２の外周部に設置されており、その内面において光を反射する。
【００４４】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００４５】
また、蛍光体９５は、ＬＥＤ素子９４を覆うように形成されており、レンズ９６は、反射板９３の内面および蛍光体９５を覆うように形成されている。
【００４６】
ＬＥＤユニット９０は、図２（Ａ）に示すように、複数のＬＥＤ光源９１が略直線状に連設され、パッケージ化されており、長尺状をなしている。
【００４７】
図１に示すように、２つのＬＥＤユニット９０は、それぞれ、ペアガラス２の内部の空間（閉空間）２４（隣り合う２つのガラス板２１、２２の間の空間）に位置している。そして、一方のＬＥＤユニット９０は、スペーサ２３の鉛直方向上方の部分、すなわち、上フレーム（横フレーム）２３１に沿って配置され、その背面が上フレーム２３１に設置（固定）され、光軸９１１の方向は、下方（下側）を向いている。また、他方のＬＥＤユニット９０は、スペーサ２３の鉛直方向下方の部分、すなわち、下フレーム（横フレーム）２３２に沿って配置され、その背面が下フレーム２３２に設置され、光軸９１１の方向は、上方（上側）を向いている。
【００４８】
また、各ＬＥＤユニット９０は、それぞれ、導線により図示しない電源部に接続されており、その電源部から電流（例えば、低電圧直流電流）が供給されると、駆動し、各ＬＥＤ光源９１がそれぞれ点灯（発光）する。
【００４９】
また、各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００５０】
また、一方のＬＥＤユニット９０と他方のＬＥＤユニット９０とは、そのＬＥＤ素子９４における発光色は、同一であってもよく、また、異なっていてもよい。
【００５１】
また、各ＬＥＤユニット９０において、それぞれ、各ＬＥＤ素子９４における発光色は、同一であってもよく、また、異なっていてもよい（異なる色を任意に組み合わせてもよい）。
また、２つのＬＥＤユニット９０のうちのいずれか一方が省略されていてもよい。
【００５２】
次に、窓１の作用（動作）について説明する。
照明装置９のＬＥＤ光源９１が点灯（発光）すると、ＬＥＤ光源９１から光が発せられる。この光は、ガラス板２１、２２を透過して住宅の内部および外部が照明される。すなわち、住宅の内部および外部の両方から、照明光を見ることができる。この照明、特に、住宅の内部の照明により、美的効果や癒し効果（リラクゼーション効果）が得られる。また、住宅の外部の照明により、防犯効果が得られる。
【００５３】
また、ＬＥＤ光源９１から発せられた光がガラス板２１、２２に照射されることにより、ガラス板２１、２２が加熱され、その結露が防止される。
【００５４】
また、ＬＥＤ光源９１（特に、ＬＥＤ光源９１の背面側）で発生した熱は、スペーサ２３に蓄熱（吸熱）され、枠部材３に伝達（伝熱）され、これらスペーサ２３および枠部材３が加熱され、その結露が防止される。
【００５５】
また、ＬＥＤ光源９１で発生した熱は、前記スペーサ２３および枠部材３から放熱される。これにより、ＬＥＤ光源９１で発生した熱を効率良く放熱することができ、これによって、ＬＥＤ光源９１の温度上昇による発光効率の減少を抑制（または防止）することができ、これにより、効率良く照明することができる。
【００５６】
また、下方のＬＥＤユニット９０のＬＥＤ光源９１で発生した熱は、スペーサ２３の下フレーム２３２に蓄熱され、その下フレーム２３２から放熱される。これにより、ペアガラス２の内部の下フレーム２３２の近傍の空気は、加熱されてその温度が高くなり、上昇する。この際、ガラス板２１、２２が加熱され、その結露がより確実に防止される。
【００５７】
以上説明したように、この窓１によれば、その照明により、美的効果や癒し効果（リラクゼーション効果）および防犯効果が得られると共に、結露防止等の前述した種々の効果が得られる。
【００５８】
また、照明装置９の光源としてＬＥＤ光源９１を用いており、ＬＥＤ光源９１は、その寸法を容易に小さくすることができるので、間隙長ｄの小さいペアガラス２の内部の空間２４に、そのＬＥＤ光源９１を容易かつ確実に配置することができる。
【００５９】
なお、本発明では、窓（照明付き建具）は、そのガラス板が開閉（変位）可能な形態のものであってもよい。開閉可能な窓としては、その方式は特に限定されず、例えば、引き違い窓、上げ下げ窓、両開き窓、フランス窓、垂直（鉛直）回転窓、水平回転窓、アコーディオン窓等が挙げられる。これは、後述する各実施形態においても同様である。
【００６０】
＜第２実施形態＞
図５は、本発明の照明付き建具を窓に適用した場合の第２実施形態を示す断面図である。
【００６１】
なお、説明の都合上、図５において、左側を「左」、右側を「右」として説明する。また、図５中の紙面に対して垂直な方向が鉛直方向、上下方向および左右方向が水平方向である。また、図５において、枠部材は、図示されていない。
【００６２】
以下、第２実施形態の窓１について、前述した第１実施形態との違いを中心に説明し、同様の事項についてはその説明を省略する。
【００６３】
図５に示すように、第２実施形態の窓１では、一方のＬＥＤユニット９０は、スペーサ２３の左側の部分、すなわち、左フレーム（縦フレーム）２３３に沿って配置され、その背面が左フレーム２３３に設置（固定）され、光軸９１１の方向は、右側を向いている。また、他方のＬＥＤユニット９０は、スペーサ２３の右側の部分、すなわち、右フレーム（縦フレーム）２３４に沿って配置され、その背面が右フレーム２３４に設置され、光軸９１１の方向は、左側を向いている。
この窓１によれば、前述した第１実施形態と同様の効果が得られる。
【００６４】
＜第３実施形態＞
図６は、本発明の照明付き建具を窓に適用した場合の第３実施形態を示す断面図である。
【００６５】
なお、説明の都合上、図６において、上側を「上」、下側を「下」、左側を「左」、右側を「右」として説明する。また、図６中の上下方向が鉛直方向、左右方向が水平方向である。また、図６において、枠部材は、図示されていない。
【００６６】
以下、第３実施形態の窓１について、前述した第１実施形態との違いを中心に説明し、同様の事項についてはその説明を省略する。
【００６７】
図６に示すように、第３実施形態の窓１では、複数（図示例は、７つ）のＬＥＤユニット９０が、ペアガラス２のガラス板２１、２２の内面（表面）に分散して設置されている。
【００６８】
すなわち、左側のガラス板２１の内面には、４つのＬＥＤユニット９０が上下方向に沿って並設されており、各ＬＥＤユニット９０の光軸９１１の方向は、右側を向いている。また、右側のガラス板２２の内面には、前記左側の隣り合う２つのＬＥＤユニット９０の間に位置するように、３つのＬＥＤユニット９０が上下方向に沿って並設されており、各ＬＥＤユニット９０の光軸９１１の方向は、左側を向いている。
【００６９】
また、各ガラス板２１、２２としては、それぞれ、ペアガラス２の外側からＬＥＤユニット９０が見えないか、または見え難いように、例えば、半透明ガラスや、曇ガラスのような不透明に近いガラスを用いるのが好ましい。
【００７０】
左側のＬＥＤユニット９０のＬＥＤ光源９１から発せられた光は、ガラス板２２を透過して住宅の内部が照明され、右側のＬＥＤユニット９０のＬＥＤ光源９１から発せられた光は、ガラス板２１を透過して住宅の外部が照明される。すなわち、住宅の内部および外部の両方から、照明光を見ることができる。
【００７１】
また、左側のＬＥＤユニット９０のＬＥＤ光源９１で発生した熱は、ガラス板２１に蓄熱され、ガラス板２１から放熱され、右側のＬＥＤユニット９０のＬＥＤ光源９１で発生した熱は、ガラス板２２に蓄熱され、ガラス板２２から放熱される。
この窓１によれば、前述した第１実施形態と同様の効果が得られる。
【００７２】
なお、左側のＬＥＤユニット９０が省略されていてもよく、また、右側のＬＥＤユニット９０が省略されていてもよい。
【００７３】
＜第４実施形態＞
図７は、本発明の照明付き建具を窓に適用した場合の第４実施形態を示す断面図である。
【００７４】
なお、説明の都合上、図７において、上側を「外（住宅の外側）」、下側を「内（住宅の内側）」、左側を「左」、右側を「右」として説明する。また、図７中の紙面に対して垂直な方向が鉛直方向、上下方向および左右方向が水平方向である。また、図７において、枠部材は、図示されていない。
【００７５】
以下、第４実施形態の窓１について、前述した第１実施形態との違いを中心に説明し、同様の事項についてはその説明を省略する。
【００７６】
図７に示すように、第４実施形態の窓１では、複数（図示例は、７つ）のＬＥＤユニット９０が、ペアガラス２のガラス板２１、２２の内面（表面）に分散して設置されている。
【００７７】
すなわち、住宅の外側のガラス板２１の内面には、４つのＬＥＤユニット９０が左右方向に沿って並設されており、各ＬＥＤユニット９０の光軸９１１の方向は、住宅の内側を向いている。また、住宅の内側のガラス板２２の内面には、前記外側の隣り合う２つのＬＥＤユニット９０の間に位置するように、３つのＬＥＤユニット９０が左右方向に沿って並設されており、各ＬＥＤユニット９０の光軸９１１の方向は、外側を向いている。
【００７８】
また、各ガラス板２１、２２としては、それぞれ、ペアガラス２の外側からＬＥＤユニット９０が見えないか、または見え難いように、例えば、半透明ガラスや、曇ガラスのような不透明に近いガラスを用いるのが好ましい。
【００７９】
外側のＬＥＤユニット９０のＬＥＤ光源９１から発せられた光は、ガラス板２２を透過して住宅の内部が照明され、内側のＬＥＤユニット９０のＬＥＤ光源９１から発せられた光は、ガラス板２１を透過して住宅の外部が照明される。すなわち、住宅の内部および外部の両方から、照明光を見ることができる。
【００８０】
また、外側のＬＥＤユニット９０のＬＥＤ光源９１で発生した熱は、ガラス板２１に蓄熱され、ガラス板２１から放熱され、内側のＬＥＤユニット９０のＬＥＤ光源９１で発生した熱は、ガラス板２２に蓄熱され、ガラス板２２から放熱される。
この窓１によれば、前述した第１実施形態と同様の効果が得られる。
【００８１】
なお、外側のＬＥＤユニット９０が省略されていてもよく、また、内側のＬＥＤユニット９０が省略されていてもよい。
【００８２】
＜第５実施形態＞
図８は、本発明の照明付き建具を窓に適用した場合の第５実施形態を示す側面図である。
【００８３】
なお、説明の都合上、図８において、上側を「上」、下側を「下」、左側を「左」、右側を「右」として説明する。また、図８中の上下方向が鉛直方向、左右方向が水平方向である。また、図８において、枠部材および紙面手前側のガラス板（他方のガラス板２２）は、図示されていない。
【００８４】
以下、第５実施形態の窓１について、前述した第１実施形態との違いを中心に説明し、同様の事項についてはその説明を省略する。
【００８５】
図８に示すように、第５実施形態の窓１では、複数（図示例は、３０個）のＬＥＤ光源９１が、ユニット化されておらず、ペアガラス２のガラス板２１および図示しないガラス板２２の内面（表面）に分散して設置されている。
【００８６】
すなわち、一方のガラス板２１の内面には、１５個のＬＥＤ光源９１が設置されており、各ＬＥＤ光源９１の光軸の方向は、紙面手前側を向いている。また、図示しない他方のガラス板２２の内面には、１５個のＬＥＤ光源９１が設置されており、各ＬＥＤ光源９１の光軸の方向は、紙面奥側を向いている。この場合、一方のガラス板２１側の各ＬＥＤ光源９１の位置と、他方のガラス板２１側の各ＬＥＤ光源９１の位置とは、側面視で、互いにずれている。
【００８７】
また、各ガラス板２１、２２としては、それぞれ、ペアガラス２の外側からＬＥＤユニット９０が見えないか、または見え難いように、例えば、半透明ガラスや、曇ガラスのような不透明に近いガラスを用いるのが好ましい。
【００８８】
ガラス板２１に設置されたＬＥＤ光源９１から発せられた光は、ガラス板２２を透過して住宅の内部が照明され、ガラス板２２に設置されたＬＥＤ光源９１から発せられた光は、ガラス板２１を透過して住宅の外部が照明される。すなわち、住宅の内部および外部の両方から、照明光を見ることができる。
【００８９】
また、ガラス板２１に設置されたＬＥＤ光源９１で発生した熱は、ガラス板２１に蓄熱され、ガラス板２１から放熱され、ガラス板２２に設置されたＬＥＤ光源９１で発生した熱は、ガラス板２２に蓄熱され、ガラス板２２から放熱される。
この窓１によれば、前述した第１実施形態と同様の効果が得られる。
【００９０】
また、ガラス板２１、２２に、防犯用の線状体が埋設されている場合、その線状体をＬＥＤ光源９１の通電用の導線として兼用（用いる）こともできる。
【００９１】
なお、ガラス板２１側のＬＥＤ光源９１が省略されていてもよく、また、ガラス板２２側のＬＥＤ光源９１が省略されていてもよい。
【００９２】
＜第６実施形態＞
図９は、本発明の照明付き建具を窓に適用した場合の第６実施形態を示す断面斜視図である。
【００９３】
なお、説明の都合上、図９において、上側を「上」、下側を「下」、左側を「左」、右側を「右」として説明する。また、図９中の上下方向が鉛直方向、左右方向が水平方向である。
【００９４】
以下、第６実施形態の窓１について、前述した第１実施形態との違いを中心に説明し、同様の事項についてはその説明を省略する。
【００９５】
図９に示すように、第６実施形態の窓１は、ペアガラス２の隣（右側）に、間隔を隔ててペアガラス２に対向するように配置されたガラス板４を有している。ガラス板４は、その外周部において枠部材３に支持（保持）されている。
【００９６】
ガラス板４としては、例えば、透明ガラス、半透明ガラス、曇ガラスのような不透明に近いガラス等、種々のものを用いることができる。
【００９７】
照明装置９は、さらに２つ（合計で４つ）のＬＥＤユニット９０を有している。この２つのＬＥＤユニット９０は、それぞれ、ペアガラス２のガラス板２２とガラス板４との間の空間５に位置している。そして、一方のＬＥＤユニット９０は、枠部材３の鉛直方向上方の部分、すなわち、上枠（横枠）３１に沿って配置され、その背面が上枠３１に設置（固定）され、光軸９１１の方向は、下方（下側）を向いている。また、他方のＬＥＤユニット９０は、枠部材３の鉛直方向下方の部分、すなわち、下枠（横枠）３２に沿って配置され、その背面が下枠３２に設置され、光軸９１１の方向は、上方（上側）を向いている。
【００９８】
なお、枠部材３に設置されている２つのＬＥＤユニット９０のうちのいずれか一方が省略されていてもよい。
【００９９】
照明装置９の枠部材３に設置されているＬＥＤ光源９１が点灯（発光）すると、ＬＥＤ光源９１から光が発せられる。この光は、ガラス板４、２２、２１、を透過して住宅の内部および外部が照明される。すなわち、住宅の内部および外部の両方から、照明光を見ることができる。この照明、特に、住宅の内部の照明により、美的効果や癒し効果（リラクゼーション効果）が得られる。また、住宅の外部の照明により、防犯効果が得られる。
【０１００】
また、ＬＥＤ光源９１から発せられた光がガラス板４、２２、２１に照射されることにより、ガラス板４、２２、２１が加熱され、その結露が防止される。
【０１０１】
また、ＬＥＤ光源９１（特に、ＬＥＤ光源９１の背面側）で発生した熱は、枠部材３に蓄熱（吸熱）され、スペーサ２３に伝達（伝熱）され、これらスペーサ２３および枠部材３が加熱され、その結露が防止される。
【０１０２】
また、ＬＥＤ光源９１で発生した熱は、前記スペーサ２３および枠部材３から放熱される。これにより、ＬＥＤ光源９１で発生した熱を効率良く放熱することができ、これによって、ＬＥＤ光源９１の温度上昇による発光効率の減少を抑制（または防止）することができ、これにより、効率良く照明することができる。
【０１０３】
また、下方のＬＥＤユニット９０のＬＥＤ光源９１で発生した熱は、枠部材３の下枠３２に蓄熱され、その下枠３２から放熱される。これにより、ペアガラス２とガラス板４との間の空間５の下枠３２の近傍の空気は、加熱されてその温度が高くなり、上昇する。この際、４、２２、２１が加熱され、その結露がより確実に防止される。
【０１０４】
なお、照明装置９のスペーサ２３に設置されているＬＥＤ光源９１が点灯した際の作用については、前述した第１実施形態と略同様であるので、その説明は省略する。
この窓１によれば、前述した第１実施形態と同様の効果が得られる。
【０１０５】
なお、ペアガラス２とガラス板４との間の空間５に位置しているＬＥＤユニット９０の設置箇所（設置位置）は、上枠３１や下枠３２には限定されない。以下、他の構成例について説明する。
【０１０６】
（構成１）
２つのＬＥＤユニット９０のうちの一方が、枠部材３の左側の部分、すなわち、図示しない左枠（横枠）に設置（固定）され、他方が、枠部材３の右側の部分、すなわち、図示しない右枠（横枠）に設置されている。
【０１０７】
（構成２）
前述した第３実施形態のように、複数のＬＥＤユニット９０が、ペアガラス２のガラス板２２およびガラス板４の内面（表面）に分散して設置されている。
【０１０８】
（構成３）
前述した第４実施形態のように、複数のＬＥＤユニット９０が、ペアガラス２のガラス板２２およびガラス板４の内面（表面）に分散して設置されている。
【０１０９】
（構成４）
前述した第５実施形態のように、複数のＬＥＤ光源９１が、ペアガラス２のガラス板２２およびガラス板４の内面（表面）に分散して設置されている。
【０１１０】
＜第７実施形態＞
図１０は、本発明の照明付き建具を窓に適用した場合の第７実施形態を示す断面斜視図である。
【０１１１】
なお、説明の都合上、図１０において、上側を「上」、下側を「下」、左側を「左」、右側を「右」として説明する。また、図１０中の上下方向が鉛直方向、左右方向が水平方向である。
【０１１２】
以下、第７実施形態の窓１について、前述した第６実施形態との違いを中心に説明し、同様の事項についてはその説明を省略する。
【０１１３】
図１０に示すように、第７実施形態の窓１では、ペアガラス２のガラス板２２とガラス板４との間の空間５に、１つのＬＥＤユニット９０が位置し、そのＬＥＤユニット９０は、その表面が絶縁された通電用の導線（ケーブル）９９により吊り下げられている。ＬＥＤユニット９０の光軸９１１の方向は、右側を向いている。
【０１１４】
なお、ペアガラス２のガラス板２２とガラス板４との間の空間５に、複数のＬＥＤユニット９０が位置し、その複数のＬＥＤユニット９０が吊り下げられていてもよい。
【０１１５】
また、図示例では、ＬＥＤユニット９０を吊り下げる手段を導線９９が兼ねているが、これに限らず、例えば、他の線状体等、吊り下げ専用の手段を用いてもよい。
この窓１によれば、前述した第６実施形態と同様の効果が得られる。
【０１１６】
なお、本実施形態は、前述した第１実施形態にも適用することができる。すなわち、ペアガラス２の内部の空間２４に、１つまたは複数のＬＥＤユニット９０が位置し、そのＬＥＤユニット９０が吊り下げられていてもよい。
【０１１７】
＜第８実施形態＞
図１１は、本発明の照明付き建具を窓に適用した場合の第８実施形態を示す断面斜視図である。
【０１１８】
なお、説明の都合上、図１１において、上側を「上」、下側を「下」、左側を「左」、右側を「右」として説明する。また、図１１中の上下方向が鉛直方向、左右方向が水平方向である。また、図１１において、枠部材は、図示されていない。
【０１１９】
以下、第８実施形態の窓１について、前述した第１実施形態との違いを中心に説明し、同様の事項についてはその説明を省略する。
【０１２０】
図１１に示すように、第８実施形態の窓１は、間隔を隔てて対向するように配置された２つのガラス板６１および６２を有している。各ガラス板６１、６２は、その外周部において図示しない枠部材３に支持（保持）されている。
【０１２１】
照明装置９は、複数（図示例では、２つ）のＬＥＤユニット９０を有している。各ＬＥＤユニット９０は、ガラス板６１とガラス板６２との間の空間６３に位置し、各ＬＥＤユニット９０は、その表面が絶縁された通電用の導線（ケーブル）９９により吊り下げられている。一方のＬＥＤユニット９０の光軸９１１の方向は、右側を向き、他方のＬＥＤユニット９０の光軸９１１の方向は、左側を向いている。
なお、ＬＥＤユニット９０の数は、１つでもよい。
【０１２２】
また、図示例では、ＬＥＤユニット９０を吊り下げる手段を導線９９が兼ねているが、これに限らず、例えば、他の線状体等、吊り下げ専用の手段を用いてもよい。
この窓１によれば、前述した第１実施形態と同様の効果が得られる。
【０１２３】
なお、本実施形態では、ＬＥＤユニット９０が吊り下げられているが、これに限らず、ＬＥＤユニット９０は、例えば、前述した第３実施形態、第４実施形態および第５実施形態のように、ガラス板６１および６２のうちのいずれか一方または両方の内面（表面）に設置されていてもよく、また、前述した第６実施形態のように、枠部材３に設置されていてもよい。
【０１２４】
以上、本発明の照明付き建具を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成（特徴）を組み合わせたものであってもよい。
【０１２５】
すなわち、本発明の照明付き建具は、建築物の開口部に設置され、間隔を隔てて対向配置された複数のガラス板と、少なくとも１つのＬＥＤ光源を有する照明装置とを備え、ＬＥＤ光源が、隣り合う２つのガラス板の間の空間に位置していればよい。
【０１２６】
例えば、本発明の照明付き建具は、複数（複数組）のペアガラスを備えるものであってもよい。また、ＬＥＤ光源は、例えば、ペアガラスとペアガラスとの間の空間に位置していてもよい。
【０１２７】
また、本発明の照明付き建具のガラス板の枚数は、２枚以上であれば、何枚であってもよい。
【０１２８】
また、本発明は、間隔を隔てて対向配置された複数のガラス板を備える建具であれば、種々のものに適用することができる。その建具としては、前記窓の他、例えば、ドアや戸等の扉等が挙げられる。
【０１２９】
また、本発明の照明付き建具が設置される建築物は、住宅に限定されるものではなく、例えば、ビル等の他の建築物であってもよい。
【図面の簡単な説明】
【０１３０】
【図１】本発明の照明付き建具を窓に適用した場合の第１実施形態を示す断面斜視図である。
【図２】本発明における照明装置のＬＥＤユニットの構成例を示す斜視図である。
【図３】本発明における照明装置のＬＥＤ光源の構成例を示す図であり、（Ａ）は、平面図、（Ｂ）は、正面図、（Ｃ）は、断面図である。
【図４】本発明におけるペアガラスのスペーサの他の構成例を示す断面図である。
【図５】本発明の照明付き建具を窓に適用した場合の第２実施形態を示す断面図である。
【図６】本発明の照明付き建具を窓に適用した場合の第３実施形態を示す断面図である。
【図７】本発明の照明付き建具を窓に適用した場合の第４実施形態を示す断面図である。
【図８】本発明の照明付き建具を窓に適用した場合の第５実施形態を示す側面図である。
【図９】本発明の照明付き建具を窓に適用した場合の第６実施形態を示す断面斜視図である。
【図１０】本発明の照明付き建具を窓に適用した場合の第７実施形態を示す断面斜視図である。
【図１１】本発明の照明付き建具を窓に適用した場合の第８実施形態を示す斜視図である。
【符号の説明】
【０１３１】
１                窓
２                ペアガラス
２１、２２        ガラス板
２３              スペーサ
２３１            上フレーム
２３２            下フレーム
２３３            左フレーム
２３４            右フレーム
２４              空間
３                枠部材
３１              上枠
３２              下枠
４                ガラス板
５                空間
６１、６２        ガラス板
６３              空間
９                照明装置
９０              ＬＥＤユニット
９１              ＬＥＤ光源
９１１            光軸
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
９９              導線
【図１】
2007182704.tif 000003
【図２】
2007182704.tif 000004
【図３】
2007182704.tif 000005
【図４】
2007182704.tif 000006
【図５】
2007182704.tif 000007
【図６】
2007182704.tif 000008
【図７】
2007182704.tif 000009
【図８】
2007182704.tif 000010
【図９】
2007182704.tif 000011
【図１０】
2007182704.tif 000012
【図１１】
2007182704.tif 000013